(57)【要約】【課題】自動販売機本体に配設された商品収容庫の内部空気を加熱して、該商品収容庫に収容された商品を良好に加熱することができ、しかも加熱室の温度が必要以上に高温となる状態を回避して商品を所望の温度状態に維持することができる自動販売機を提供すること。【解決手段】商品収容庫３と加熱室１１との間で商品収容庫３の内部空気を循環させる暖気送風ファン１５と、加熱室１１の内部に配設され、暖気送風ファン１５により循環させられて該加熱室１１を通過する内部空気を加熱する凝縮器２２と、加熱室１１の内部熱を外部に放出するための放熱フィン３０と、常態においては、加熱室１１の内部熱が放熱フィン３０に伝達することを規制する一方、加熱室１１の内部温度が予め決められた大きさ以上となる場合には、該内部熱が放熱フィン３０に伝達することを許容する断熱部材３１およびコントローラ４０とを備えている。【選択図】      図１
2008234138.tif 000002
【特許請求の範囲】
【請求項１】
自動販売機本体に配設された商品収容庫の内部空気を加熱して、該商品収容庫に収容された商品を加熱するようにした自動販売機であって、
前記自動販売機本体内であって前記商品収容庫の外部となる加熱室と、該商品収容庫の内部との間で、該商品収容庫の内部空気を循環させる循環手段と、
前記加熱室の内部に配設され、前記循環手段により循環させられて該加熱室を通過する内部空気を加熱する加熱手段と、
前記加熱室の内部熱を外部に放出するための放熱手段と、
常態においては、前記加熱室の内部熱が前記放熱手段に伝達することを規制する一方、前記加熱室の内部温度が予め決められた大きさ以上となる場合には、該内部熱が前記放熱手段に伝達することを許容する規制手段と
を備えたことを特徴とする自動販売機。
【請求項２】
前記加熱室は、吸込ダクトおよび吐出ダクトのそれぞれを通じて前記商品収容庫に連通してあり、
前記放熱手段は、前記吸込ダクトおよび前記吐出ダクトの少なくとも一方の内部にある前記内部空気の熱を放出することを特徴とする請求項１に記載の自動販売機。
【請求項３】
前記放熱手段は、前記吸込ダクトの内部にある前記内部空気の熱を放出することを特徴とする請求項２に記載の自動販売機。
【発明の詳細な説明】
【技術分野】
【０００１】
本発明は、自動販売機に関し、より詳細には、自動販売機本体に配設された商品収容庫の内部空気を加熱して、該商品収容庫に収容された商品を加熱するようにした自動販売機の改良に関する。
【背景技術】
【０００２】
従来、自動販売機本体である本体キャビネットに配設された商品収容庫の内部空気を冷却して、該商品収容庫に収容された商品を冷却するようにした自動販売機として、本体キャビネットの内部であって商品収容庫の外部となる機械室に冷却ユニットを備えたものである。
【０００３】
冷却ユニットは、圧縮機、凝縮器、膨張弁および蒸発器を配管で接続して構成し、内部に封入した冷媒を循環させるものである。圧縮機は、供給された冷媒を圧縮するものである。凝縮器は、供給された冷媒、すなわち圧縮機で圧縮された冷媒を凝縮させるものである。膨張弁は、供給された冷媒、すなわち凝縮器で凝縮された冷媒を断熱膨張させるものである。蒸発器は、供給された冷媒、すなわち膨張弁で断熱膨張された冷媒を蒸発させて、蒸発させた冷媒を上記圧縮機に供給するものである。
【０００４】
このような冷却ユニットを構成する蒸発器は、上記機械室に設けられ、かつ商品収容庫の内部に連通する熱交換室に配設されている。そして、商品収容庫と熱交換室との間で商品収容庫の内部空気を循環させることにより、熱交換室では蒸発器が供給された冷媒を蒸発させて通過する内部空気を冷却する結果、商品収容庫の内部空気が冷却されて該商品収容庫に収容された商品が冷却される。
【０００５】
その一方、かかる冷却ユニットを構成する凝縮器は、機械室内における所定の取付台に取り付けられた態様で設置されており、該凝縮器の内部で冷媒が凝縮することにより加熱される周囲空気は、自動販売機の外部に放出されている（例えば、特許文献１参照）。
【０００６】
【特許文献１】特開２００５−２９１５２３号公報
【発明の開示】
【発明が解決しようとする課題】
【０００７】
ところで、近年の自動販売機では、上記構成に加えて機械室に設置された凝縮器により加熱された空気を商品収容庫の内部に供給して、該商品収容庫に収容された商品を加熱することが考えられている。すなわち、自動販売機本体である本体キャビネットに配設された商品収容庫の内部空気を加熱して、該商品収容庫に収容された商品を加熱するようにした自動販売機が考えられている。
【０００８】
このような自動販売機の場合、商品収容庫にダクトを通じて連通する加熱室を機械室に設置し、かかる加熱室の内部に凝縮器を圧縮機とともに収容することが考えられる。
【０００９】
ところが、このような自動販売機では、凝縮器からの放熱により加熱室の内部が必要以上に高温になることがあり、このように加熱室の内部が高温になると凝縮器から十分な放熱を行えず、冷却ユニットにおける高圧側の圧力が上昇してしまう結果、圧縮機が停止してしまう虞れがある。このように圧縮機が停止してしまうと、商品収容庫に収容されている商品は冷却も加熱もされなくなり、所望の温度状態に維持することが困難になる。
【００１０】
本発明は、上記実情に鑑みて、自動販売機本体に配設された商品収容庫の内部空気を加熱して、該商品収容庫に収容された商品を良好に加熱することができ、しかも加熱室の温度が必要以上に高温となる状態を回避して商品を所望の温度状態に維持することができる自動販売機を提供することを目的とする。
【課題を解決するための手段】
【００１１】
上記目的を達成するために、本発明の請求項１に係る自動販売機は、自動販売機本体に配設された商品収容庫の内部空気を加熱して、該商品収容庫に収容された商品を加熱するようにした自動販売機であって、前記自動販売機本体内であって前記商品収容庫の外部となる加熱室と、該商品収容庫の内部との間で、該商品収容庫の内部空気を循環させる循環手段と、前記加熱室の内部に配設され、前記循環手段により循環させられて該加熱室を通過する内部空気を加熱する加熱手段と、前記加熱室の内部熱を外部に放出するための放熱手段と、常態においては、前記加熱室の内部熱が前記放熱手段に伝達することを規制する一方、前記加熱室の内部温度が予め決められた大きさ以上となる場合には、該内部熱が前記放熱手段に伝達することを許容する規制手段とを備えたことを特徴とする。
【００１２】
また、本発明の請求項２に係る自動販売機は、上述した請求項１において、前記加熱室は、吸込ダクトおよび吐出ダクトのそれぞれを通じて前記商品収容庫に連通してあり、前記放熱手段は、前記吸込ダクトおよび前記吐出ダクトの少なくとも一方の内部にある前記内部空気の熱を放出することを特徴とする。
【００１３】
また、本発明の請求項３に係る自動販売機は、上述した請求項２において、前記放熱手段は、前記吸込ダクトの内部にある前記内部空気の熱を放出することを特徴とする。
【発明の効果】
【００１４】
本発明の自動販売機によれば、商品収容庫と加熱室との間で該商品収容庫の内部空気を循環させ、加熱室の内部に配設された加熱手段を通じて通過する内部空気を加熱するようにし、常態においては加熱室の内部熱が放熱手段に伝達することを規制する一方、加熱室の内部温度が予め決められた大きさ以上となる場合には該内部熱が放熱手段に伝達することを許容して内部熱を外部に放出するようにしたので、商品収容庫の内部空気を加熱して、該商品収容庫に収容された商品を良好に加熱することができ、しかも加熱室の内部が必要以上に高温となる事態が回避されるので加熱手段による内部空気の加熱が保持され、商品を所望の温度状態に維持することができる。つまり、自動販売機本体に配設された商品収容庫の内部空気を加熱して、該商品収容庫に収容された商品を良好に加熱することができ、しかも加熱室の温度が必要以上に高温となる状態を回避して商品を所望の温度状態に維持することができるという効果を奏する。
【発明を実施するための最良の形態】
【００１５】
以下に添付図面を参照して、本発明に係る自動販売機の好適な実施の形態について詳細に説明する。
【００１６】
図１は、本発明の実施の形態における自動販売機の要部を模式的に示したものである。ここに例示する自動販売機は、本体キャビネット１を備えている。
【００１７】
本体キャビネット１は、前面が開口した直方状の断熱筐体として形成した自動販売機本体である。この本体キャビネット１には、その内部に例えば２つの断熱仕切板２によって仕切られた３つの独立した商品収容庫３ａ，３ｂ，３ｃ(以下、商品収容庫３とも総称する）が左右に並んだ態様で設けてある。この商品収容庫３ａ，３ｂ，３ｃは、缶入り飲料やペットボトル入り飲料等の商品を所望の温度に維持した状態で収容するためのものである。また、図には明示しないが、本体キャビネット１の前面開口を開閉する扉体が設けてある。
【００１８】
商品収容庫３ａ，３ｂ，３ｃには、図には明示しないが、それぞれ商品収納ラック、搬出機構および商品搬出シュータが設けてある。商品収納ラックは、商品を上下方向に沿って並ぶ態様で収納するためのものである。搬出機構は、商品収納ラックの下部に設けてあり、この商品収納ラックに収納された商品群のうち最下部にある商品を一つずつ搬出するためのものである。商品搬出シュータは、搬出機構から搬出された商品を扉体に設けた商品取出口（図示せず）に導くためのものである。
【００１９】
上記商品収容庫３の底面には、冷気吸込口４ａ，４ｂ，４ｃおよび冷気吐出口５ａ，５ｂ，５ｃが形成してある。冷気吸込口４ａ，４ｂ，４ｃは、図示しない冷気吸込シャッタにより開閉自在となる開口である。冷気吐出口５ａ，５ｂ，５ｃは、図示しない冷気吐出シャッタにより開閉自在となる開口である。
【００２０】
また、上記商品収容庫３のうち、最も左側に位置する商品収容庫（以下、左側商品収容庫ともいう）３ａの底面には、上述した冷気吸込口４ａおよび冷気吐出口５ａの他に、暖気吸込口６ａおよび暖気吐出口７ａが形成してある。暖気吸込口６ａは、暖気吸込シャッタ８により開閉自在となる開口である。暖気吐出口７ａは、暖気吐出シャッタ９により開閉自在となる開口である。尚、中央側に位置する商品収容庫（以下、中央商品収容庫ともいう）３ｂおよび最も右側に位置する商品収容庫（以下、右側商品収容庫ともいう）３ｃは、冷却専用の収容庫であり、そのため底面には冷気吸込口４ｂ，４ｃおよび冷気吐出口５ｂ，５ｃだけが形成してある。本明細書において、「右側」とは、自動販売機を正面から見た場合の右方側を意味し、「左側」とは、自動販売機を正面から見た場合の左方側を意味するものとする。
【００２１】
上述した商品収容庫３と本体キャビネット１内で上下に区画されて該商品収容庫３の下方に位置する機械室１０には、加熱室１１、冷却室１２および冷却加熱ユニット２０が設けてある。
【００２２】
加熱室１１は、暖気吸込ダクト１３および暖気吐出ダクト１４のそれぞれを通じて、左側商品収容庫３ａの内部に連通する室である。ここで、暖気吸込ダクト１３は、暖気吸込口６ａに通じており、加熱室１１の内部と左側商品収容庫３ａの内部とを連通するための通風路である。暖気吐出ダクト１４は、暖気吐出口７ａに通じており、加熱室１１の内部と左側商品収容庫３ａの内部とを連通するための通風路である。
【００２３】
かかる加熱室１１の内部には、暖気送風ファン１５が設けてある。暖気送風ファン１５は、駆動することにより、連通する左側商品収容庫３ａの内部空気を暖気吸込口６ａから暖気吸込ダクト１３を通じて加熱室１１内に吸い込み、吸い込んだ内部空気を後述する凝縮器２２等の周囲を通過させ、その後、暖気吐出ダクト１４から暖気吐出口７ａを通じて左側商品収容庫３ａの内部に吐出するものである。つまり、暖気送風ファン１５が駆動することにより、加熱室１１と連通する左側商品収容庫３ａの内部空気は、加熱室１１との間で循環することになる。これにより暖気送風ファン１５は、循環手段を構成している。
【００２４】
また、このような加熱室１１の内部には、加熱室内温度センサ１６が設けてある。加熱室内温度センサ１６は、加熱室１１の内部温度を検出するものである。
【００２５】
冷却室１２は、冷気吸込ダクト１７および冷気吐出ダクト１８のそれぞれを通じて、商品収容庫３ａ，３ｂ，３ｃの内部に連通する室である。ここで冷気吸込ダクト１７は、それぞれの商品収容庫３ａ，３ｂ，３ｃの冷気吸込口４ａ，４ｂ，４ｃに通じており、冷却室１２の内部と商品収容庫３ａ，３ｂ，３ｃのそれぞれの内部とを連通するための通風路である。冷気吐出ダクト１８は、冷気吐出口５ａ，５ｂ，５ｃに通じており、冷却室１２の内部と商品収容庫３ａ，３ｂ，３ｃのそれぞれの内部とを連通するための通風路である。
【００２６】
そして、かかる冷却室１２の内部には、冷気送風ファン１９が設けてある。冷気送風ファン１９は、駆動することにより、連通する商品収容庫３ａ，３ｂ，３ｃの内部空気を冷気吸込口４ａ，４ｂ，４ｃから冷気吸込ダクト１７を通じて冷却室１２内に吸い込み、吸い込んだ内部空気を後述する蒸発器２５の周囲を通過させ、その後、冷気吐出ダクト１８から冷気吐出口５ａ，５ｂ，５ｃを通じて商品収容庫３ａ，３ｂ，３ｃの内部に吐出するものである。つまり、冷気送風ファン１９が駆動することにより、冷却室１２と連通する商品収容庫３ａ，３ｂ，３ｃの内部空気は、商品収容庫３と冷却室１２との間で循環することになる。
【００２７】
冷却加熱ユニット２０は、圧縮機２１と、凝縮器２２と、ガスクーラ２３と、膨張弁２４と、蒸発器２５とを配管で順次接続することにより構成してある。この冷却加熱ユニット２０において、冷媒としては、不燃性、安全性、不腐食性を有し、更にオゾン層への影響が少ない二酸化炭素を用いている。
【００２８】
圧縮機２１は、加熱室１１の内部に配設してある。この圧縮機２１は、蒸発器２５からの冷媒（二酸化炭素）を圧縮して高温高圧の状態にするものである。本実施の形態における圧縮機２１は、２回に分けて圧縮動作を行う二段式圧縮機である。より詳細に説明すると、圧縮機２１は、１回目の圧縮動作を行う第１圧縮機２１ａと、２回目の圧縮動作を行う第２圧縮機２１ｂとを有し、これらの間に中間熱交換器２１ｃが設けてある。この中間熱交換器２１ｃは、第１圧縮機２１ａによる１回目の圧縮動作により圧縮された冷媒を凝縮させて該冷媒を第２圧縮機２１ｂに戻すものである。
【００２９】
凝縮器２２は、圧縮機２１と同様に加熱室１１に配設してある。この凝縮器２２は、圧縮機２１で高温高圧の状態に圧縮された冷媒を放熱させるものである。冷媒が放熱することにより、凝縮器２２の周囲を通過する空気は熱が与えられることになり、加熱される。
【００３０】
ガスクーラ２３は、機械室１０に配設してある。つまり、加熱室１１および冷却室１２とは異なる領域に配設してある。このガスクーラ２３は、凝縮器２２から供給された冷媒を更に放熱させるものである。冷媒が放熱することによりガスクーラ２３の周囲を通過する空気（外気）は熱が与えられることになり、加熱される。
【００３１】
膨張弁２４は、ガスクーラ２３と同様に機械室１０に配設してある。この膨張弁２４は、供給された冷媒を断熱膨張させる、すなわち該冷媒を減圧して低温低圧の状態に調整するものである。
【００３２】
蒸発器２５は、冷却室１２の内部に配設してある。この蒸発器２５は、膨張弁２４で低温低圧の状態に断熱膨張させた冷媒を蒸発させるものである。この冷媒が蒸発することにより、蒸発器２５の周囲を通過する空気は熱が奪われることになり、冷却される。また、蒸発器２５は、通過した冷媒を上記圧縮機２１に供給するものである。
【００３３】
上記冷却加熱ユニット２０では、上記構成の他に、内部熱交換器２６および電磁弁２７が設けてある。内部熱交換器２６は、ガスクーラ２３からの冷媒（高圧冷媒）と、蒸発器２５からの冷媒（低圧冷媒）とを熱交換させるものである。より詳細に説明すると、内部熱交換器２６の内部にはガスクーラ２３で放熱された冷媒が通過するための高圧冷媒管路２６ａと、蒸発器２５で蒸発した冷媒が通過するための低圧冷媒管路２６ｂとが、互いに熱交換可能な距離を有して非接触向流する態様で配設してある。電磁弁２７は、蒸発器２５とともに冷却室１２の内部に配設してあり、開閉動作することにより蒸発器２５への冷媒の供給を許容および規制するものである。
【００３４】
このような冷却加熱ユニット２０では、冷媒が循環することにより、凝縮器２２は周囲を通過する空気を加熱する加熱手段として、蒸発器２５は周囲を通過する空気を冷却する冷却手段として作用する。
【００３５】
以上のような自動販売機では、上記構成に加え、放熱フィン３０、断熱部材３１およびコントローラ４０が設けてある。
【００３６】
放熱フィン３０は、暖気吸込ダクト１３の外側周部分の一部に設けてあり、暖気吸込ダクト１３の内部にある内部空気の熱を外部に放出するためのものであり、より詳細には、暖気吸込ダクト１３に連通する加熱室１１の内部熱を外部に放出するための放熱手段である。
【００３７】
断熱部材３１は、進退移動可能となる態様で暖気吸込ダクト１３の内側周部分に配設したものであり、コントローラ４０から指令が与えられることにより進退移動するものである。より詳細に説明すると、コントローラ４０から指令が与えられて進出移動すると、加熱室１１の内部熱（暖気吸込ダクト１３の内部にある内部空気の熱）が放熱フィン３０に伝達することを許容する一方、コントローラ４０から指令が与えられて退避移動すると、加熱室１１の内部熱が放熱フィン３０に伝達することを規制するものである。この断熱部材３１は、常態においては、図１に示すように退避移動した位置に待機している。
【００３８】
コントローラ４０は、図２に示すように、基準温度設定記憶部４１と、比較判定部４２と、断熱部材駆動処理部４３とを備えている。基準温度設定記憶部４１は、断熱部材３１を進出移動させるための基準となる温度（以下、基準温度ともいう）を設定し、記憶するためのものである。ここで、基準温度は、例えば５５℃とされている。
【００３９】
比較判定部４２は、加熱室内温度センサ１６により検出された温度（以下、検出温度ともいう）と、基準温度設定記憶部４１に記憶されている基準温度とを比較し、検出温度が基準温度以上であるか否かを判定するものである。
【００４０】
断熱部材駆動処理部４３は、比較判定部４２の判定結果に応じて、すなわち検出温度が基準温度以上となる場合には、断熱部材３１を進出移動させる一方、検出温度が基準温度未満となる場合には、断熱部材３１を退避移動、あるいは退避移動した位置に待機させるものである。
【００４１】
以上のような構成を有する自動販売機では、次のようにして左側商品収容庫３ａに収容された商品を加熱する一方、中央商品収容庫３ｂおよび右側商品収容庫３ｃのそれぞれに収容された商品を冷却することができる。かかる説明の前提として、左側商品収容庫３ａの暖気吸込シャッタ８および暖気吐出シャッタ９はともに開動作して、暖気吸込口６ａおよび暖気吐出口７ａがそれぞれ開成しているものとし、その一方、左側商品収容庫３ａの冷気吸込シャッタおよび冷気吐出シャッタはともに閉動作して、冷気吸込口４ａおよび冷気吐出口５ａがそれぞれ閉成しているものとする。また、中央商品収容庫３ｂおよび右側商品収容庫３ｃの冷気吸込シャッタおよび冷気吐出シャッタはともに開動作して、冷気吸込口４ｂ，４ｃおよび冷気吐出口５ｂ，５ｃがそれぞれ開成しているものとする。
【００４２】
このような状態で暖気送風ファン１５および冷気送風ファン１９を駆動させる。暖気送風ファン１５を駆動させることにより、左側商品収容庫３ａの内部空気は、暖気吸込口６ａから暖気吸込ダクト１３を通じて加熱室１１内に吸い込まれる。加熱室１１に吸い込まれた内部空気は、圧縮機２１および凝縮器２２の周囲を通過して加熱された後に、暖気吐出ダクト１４から暖気吐出口７ａを通じて左側商品収容庫３ａの内部に至り、その後左側商品収容庫３ａの内部を通過する。これを繰り返すことにより、左側商品収容庫３ａに収容された商品は加熱される。
【００４３】
一方、冷気送風ファン１９を駆動させることにより、中央商品収容庫３ｂおよび右側商品収容庫３ｃのそれぞれの内部空気は、開成している冷気吸込口４ｂ，４ｃから冷気吸込ダクト１７に進入し、該冷気吸込ダクト１７を通過した後に、冷却室１２に至る。冷却室１２に至った内部空気は、蒸発器２５の周囲を通過して冷却された後に、冷気吐出ダクト１８に進入し、該冷気吐出ダクト１８を通過した後に冷気吐出口５ｂ，５ｃを通じて中央商品収容庫３ｂおよび右側商品収容庫３ｃのそれぞれの内部に至り、その後、中央商品収容庫３ｂおよび右側商品収容庫３ｃの内部を通過する。これを繰り返すことにより、中央商品収容庫３ｂおよび右側商品収容庫３ｃのそれぞれに収容された商品は冷却される。
【００４４】
図３は、自動販売機を構成するコントローラが実施する断熱部材駆動制御処理の内容を示すフローチャートである。この図３を適宜参照しながら、コントローラ４０が実施する処理内容を述べながら自動販売機の動作について更に説明する。尚、かかる説明の前提として、断熱部材３１は、図１に示すように退避移動した位置で待機しているものとする。
【００４５】
かかる断熱部材駆動制御処理においてコントローラ４０は、加熱室内温度センサ１６を通じて加熱室１１の内部温度を検出する（ステップＳ１０１）。加熱室１１の内部温度を検出したコントローラ４０は、比較判定部４２を通じて検出温度と、基準温度設定記憶部４１に記憶された基準温度とを比較して、検出温度が基準温度以上であるか否かを判定する（ステップＳ１０２）。
【００４６】
上記ステップＳ１０２において、検出温度が基準温度未満である場合（ステップＳ１０２：Ｎｏ）、コントローラ４０は、断熱部材駆動処理部４３を通じて断熱部材３１をそのままの状態に維持し、すなわち断熱部材３１をそのまま退避移動した位置に待機させて（ステップＳ１０３）、手順をリターンさせて今回の処理を終了する。これによれば、加熱室１１の内部熱が、放熱フィン３０を通じて外部に放出されることを規制することになる。
【００４７】
一方、上記ステップＳ１０２において、検出温度が基準温度以上となる場合（ステップＳ１０２：Ｙｅｓ）、コントローラ４０は次のような処理を実施する。ここで、検出温度が基準温度以上となる場合の一例を述べると、図４に示すように、左側商品収容庫３ａの暖気吸込シャッタ８および暖気吐出シャッタ９をともに閉動作して、暖気吸込口６ａおよび暖気吐出口７ａをそれぞれ閉成する一方、左側商品収容庫３ａの冷気吸込シャッタおよび冷気吐出シャッタをともに開動作して、冷気吸込口４ａおよび冷気吐出口５ａをそれぞれ開成することにより、左側商品収容庫３ａを冷却庫として利用する場合が該当する。この場合、加熱室１１は、左側商品収容庫３ａと連通した状態には成らず、密閉された室となる。そのため、加熱室１１の内部温度が上昇して基準温度である５５℃以上となることが考えられる。
【００４８】
このように検出温度が基準温度以上となる場合、コントローラ４０は、断熱部材駆動処理部４３を通じて断熱部材３１を進出移動させて（ステップＳ１０４）、手順をリターンさせて今回の処理を終了する。このように断熱部材３１を進出移動させることにより、断熱部材３１が加熱室１１の内部熱（暖気吸込ダクト１３の内部にある内部空気の熱）が放熱フィン３０に伝達することを許容するため、基準温度以上となっている加熱室１１の内部温度を基準温度以下に下げることが可能となる。
【００４９】
以上説明したように本発明の実施の形態では、断熱部材３１およびコントローラ４０が、常態においては、加熱室１１の内部熱が放熱フィン（放熱手段）３０に伝達することを規制する一方、加熱室１１の内部温度が基準温度以上となる場合には、該内部熱が放熱フィン３０に伝達することを許容する規制手段を構成している。
【００５０】
そして、放熱フィン３０に加熱室１１の内部熱を伝達して外部に放出することにより、加熱室１１の内部が必要以上に高温となる事態が回避されて、冷却加熱ユニット２０の高圧側の圧力が上昇してしまうことを抑制し、凝縮器２２からの放熱を十分保持しながら、圧縮機２１が停止してしまう事態を招来する虞れがない。
【００５１】
以上のように本発明の実施の形態における自動販売機によれば、左側商品収容庫３ａと加熱室１１との間で左側商品収容庫３ａの内部空気を循環させ、加熱室１１の内部に配設された凝縮器２２で通過する内部空気を加熱し、常態においては、加熱室１１の内部熱が放熱フィン３０に伝達することを規制する一方、加熱室１１の内部温度が基準温度以上となる場合には内部熱が放熱フィン３０に伝達することを許容するようにしたので、左側商品収容庫３ａの内部空気を加熱して、該左側商品収容庫３ａに収容された商品を良好に加熱することができ、しかも加熱室１１の内部が必要以上に高温となる事態が回避されて圧縮機２１が停止してしまう事態を招来する虞れがないので、消費を所望の温度状態に維持することができる。つまり、本体キャビネット１に配設された左側商品収容庫３ａの内部空気を加熱して、該左側商品収容庫３ａに収容された商品を良好に加熱することができ、しかも加熱室１１の温度が必要以上に高温となる状態を回避して商品を所望の温度状態に維持することができる。
【００５２】
上記自動販売機によれば、図４に示すように、左側商品収容庫３ａを冷却庫として利用する場合に、放熱フィン３０を通じて加熱室１１の内部熱を外部に放出しているので、左側商品収容庫３ａに加熱室１１の内部熱が熱漏れとして伝わる割合を小さくすることができ、エネルギーロスを必要最小限にすることができる。
【００５３】
以上、本発明の好適な実施の形態について説明したが、本発明はこれに限定されるものではなく、種々の変更を行うことができる。例えば、必要に応じて放熱フィンの周囲に放熱用ファンを設置し、かかる放熱用ファンの風量を制御して、放熱フィンを通じて外部に放出する熱量を調整することが可能になる。このような構成によっても上述した実施の形態と同様の作用効果を奏することができる。
【産業上の利用可能性】
【００５４】
以上のように、本発明は、自動販売機本体に配設された商品収容庫の内部空気を加熱して、該商品収容庫に収容された商品を加熱するのに有用である。
【図面の簡単な説明】
【００５５】
【図１】図１は、本発明の実施の形態における自動販売機の要部を模式的に示した模式図である。
【図２】図２は、図１に示した自動販売機の制御系を示したブロック図である。
【図３】図３は、図１に示した自動販売機を構成するコントローラが実施する断熱部材駆動制御処理の内容を示すフローチャートである。
【図４】図４は、図１に示した自動販売機の要部の動作例を示す模式図である。
【符号の説明】
【００５６】
１        本体キャビネット
３（３ａ，３ｂ，３ｃ）      商品収容庫
１１      加熱室
１３      暖気吸込ダクト
１４      暖気吐出ダクト
１５      暖気送風ファン
１６      加熱室内温度センサ
２０      冷却加熱ユニット
２１      圧縮機
２２      凝縮器
２３      ガスクーラ
２４      膨張弁
２５      蒸発器
２６      内部熱交換器
２７      電磁弁
３０      放熱フィン
３１      断熱部材
４０      コントローラ
４１      基準温度設定記憶部
４２      比較判定部
４３      断熱部材駆動処理部
【図１】
2008234138.tif 000003
【図２】
2008234138.tif 000004
【図３】
2008234138.tif 000005
【図４】
2008234138.tif 000006